(57)【要約】      （修正有）【課題】ラックの上面に対する物品の載置状態の安定性の向上を図ることができるラックを提供する。【解決手段】ラック１は、鉛直方向に沿って立設された複数の支柱部材１１，１２，１３，１４と、これら支柱部材の上端部間を水平方向に連結する複数の上端梁部材３１，３２，３３，３４と、を備え、当該複数の上端梁部材が外周を形成する上面部を有する。そして、複数の上端梁部材のうち、所定の角度をなして隣り合って連結された上端梁部材間を連結する直線形状の連結部材５１，５２，５３，５４を備えると共に、当該連結部材が上面部を形成するよう構成されている。【選択図】図１
0003201115.tif 000002
【実用新案登録請求の範囲】
【請求項１】
鉛直方向に沿って立設された複数の支柱部材と、これら支柱部材の上端部間を水平方向に連結する複数の上端梁部材と、を備え、当該複数の上端梁部材が外周を形成する上面部を有するラックであって、
前記複数の上端梁部材のうち、所定の角度をなして隣り合って連結された前記上端梁部材間を連結する直線形状の連結部材を備えると共に、当該連結部材が前記上面部を形成するよう構成されている、
ラック。
【請求項２】
請求項１に記載のラックであって、
前記上面部の外周は、４本の前記上端梁部材により長方形状又は正方形状に形成されており、隣り合う前記上端梁部材が直角をなして連結されており、
直線形状である前記連結部材は、直角をなして隣り合って連結された前記上端梁部材間を連結するよう設けられている、
ラック。
【請求項３】
請求項２に記載のラックであって、
前記連結部材は、板状の部材であり、一方の側端が上側を向いて設けられることにより、当該側端が前記上面部を形成して構成されている、
ラック。
【請求項４】
請求項２又は３に記載のラックであって、
前記上面部の外周の内側に、当該上面部を形成する格子状の格子部材が前記上端梁部材に連結して設けられている、
ラック。
【考案の詳細な説明】
【技術分野】
【０００１】
本考案は、物品を収容するラックにかかり、特に、上面に物品を載置可能なラックに関する。
【背景技術】
【０００２】
倉庫内に物品を効率良く収容するために、特許文献１に記載のようなラックが用いられる。このラックは、周囲が支柱で囲まれた略立方体形状に形成されており、上面には複数の角材が格子状に連結されており、載置面が形成されている。これにより、ラックの内部に物品を収納可能であると共に、その上面である載置面にも物品を載置することを可能としている。
【０００３】
また、このラックは、他のラックを積み重ね可能なよう構成されている。このため、下側に位置するラックの上面（載置面）が、上側に位置するラックの内部の底に位置し、かかる箇所に物品を収納可能であると共に、さらに上側に位置するラックの上面（載置面）にも、物品を載置することができる。これにより、収納効率の向上を図っている。
【先行技術文献】
【特許文献】
【０００４】
【特許文献１】特開２０１０−４７３７５号公報
【考案の概要】
【考案が解決しようとする課題】
【０００５】
しかしながら、上記特許文献１に記載のラックでは、上面である載置面に物品を載置する場合に、物品の載置状態が安定しない、という問題が生じる。例えば、載置面に対面する物品の外形が、当該載置面の外周よりも小さい場合には、物品の外周箇所がラックの載置面を形成する部材に当接せずに支持されないこととなってしまう。特に、載置面に対面する物品の外形が矩形である場合には、当該物品の角部分が、載置面のどの部材でも支持されることがなく、宙に浮いた状態となる。すると、ラックの載置面に対する物品の載置状態が不安定となる、という問題が生じる。
【０００６】
一方で、載置面で物品を安定して支持するために、当該載置面に狭い間隔で多数の角材を配置し、格子状の目を小さくすることも考えられる。しかしながら、ラックの載置面の角材を増やすと、ラック構造の複雑化や、ラック自体の重量及びコストの増加、という問題が生じる。
【０００７】
このため、本考案の目的は、上述した課題である、ラックの上面に対する物品の載置状態が不安定となる、という問題を解決することができるラックを提供することにある。
【課題を解決するための手段】
【０００８】
本考案の一形態であるラックは、
鉛直方向に沿って立設された複数の支柱部材と、これら支柱部材の上端部間を水平方向に連結する複数の上端梁部材と、を備え、当該複数の上端梁部材が外周を形成する上面部を有するラックであって、
前記複数の上端梁部材のうち、所定の角度をなして隣り合って連結された前記上端梁部材間を連結する直線形状の連結部材を備えると共に、当該連結部材が前記上面部を形成するよう構成されている、
という構成をとる。
【０００９】
また、上記ラックでは、
前記上面部の外周は、４本の前記上端梁部材により長方形状又は正方形状に形成されており、隣り合う前記上端梁部材が直角をなして連結されており、
直線形状である前記連結部材は、直角をなして隣り合って連結された前記上端梁部材間を連結するよう設けられている、
という構成をとる。
【００１０】
また、上記ラックでは、
前記連結部材は、板状の部材であり、一方の側端が上側を向いて設けられることにより、当該側端が前記上面部を形成して構成されている、
という構成をとる。
【００１１】
また、上記ラックでは、
前記上面部の外周の内側に、当該上面部を形成する格子状の格子部材が前記上端梁部材に連結して設けられている、
という構成をとる。
【考案の効果】
【００１２】
本考案は、以上のように構成されるため、簡易な構造で低コストに、上面に物品を安定して載置できるラックを実現することができる。
【図面の簡単な説明】
【００１３】
【図１】ラックの全体構成を示す図である。
【図２】ラックを上方から見た図である。
【図３】ラックの上面に物品を載置するときの様子を示す図である。
【図４】ラックの上面に物品を載置するときの様子を示す図である。
【図５】ラックを積み重ねたときの様子を示す図である。
【考案を実施するための形態】
【００１４】
＜実施形態１＞
本考案の第１の実施形態を、図１乃至図５を参照して説明する。図１乃至図３は、ラックの構成を示すである。図４乃至図５は、ラックの上面に物品を載置するときの様子を示す図である。
【００１５】
本実施形態におけるラック１は、図１に示すように、略直方体形状、又は、略立方体形状に形成されている。具体的に、ラック１は、略正方形状の４つの角部にそれぞれ鉛直方向に沿って立設された４本の支柱部材１１，１２，１３，１４と、これら支柱部材１１，１２，１３，１４の下端部間を水平方向に連結する３本の梁部材２２，２３，２４（下端梁部材）と、支柱部材１１，１２，１３，１４の上端部間を水平方向に連結する４本の梁部材３１，３２，３３，３４（上端梁部材）と、を備えている。
【００１６】
そして、ラック１の上面部は、図３に示すように、上述した４本の上端梁部材３１，３２，３３，３４で囲まれた略正方形状又は略長方形状の載置面を形成している。この載置面については、後述する。
【００１７】
なお、上記支柱部材１１，１２の下端部間には、梁部材が設けられておらず、当該支柱部材１１，１２側からラック１内に荷物を収容することが可能となっている。
【００１８】
また、上記ラック１は、同一のものが積み重ね可能である。具体的に、図２にラックを積み重ねたときの様子を示す。なお、ここでは、上側のラック１００と下側のラック１は同一のものであるが、説明の都合上、上側のラック１００を別の符号にて示すこととする。
【００１９】
この図に示すように、ラック１，１００を積み重ねる際には、まず前面側では、下側のラック１の前面側の支柱部材１１，１２の上端に、上側のラック１００の前面側の支柱部材１１１，１１２の下端を積み重ねる。このとき、下側の支柱部材１１，１２の上端に設けられた半円球状の凹部に、上側の支柱部材１１１，１１２の下端に設けられた半円球状の凸部が嵌合する。また、背面側では、下側のラック１の上面に位置する梁部材３３上に、上側のラック１００の下端に位置する梁部材１２３を載置する。このとき、図１に示すように、ラック１の上面（載置面）の背面側に位置する梁部材３３の両端付近に、当該載置面よりも上方に突出するストッパ６１，６２がそれぞれ設けられている。このストッパ６１，６２は、ラック１の上面（載置面）の外周に設けられているため、これよりも内側に上側のラック１００の梁部材１２３を載置することで、前後のラックの位置ずれを抑制し、積み重ね状態の安定化を図ることができる。
【００２０】
このように、ラック１，１００が積み重ねられることで、下側のラック１内部と、下側のラック１の上面部である載置面つまり上側のラック１００内部と、上側のラック１００の上面部である載置面とに、物品を収容することができる。
【００２１】
ここで、物品が載置されるラック１の上面である載置面の構成について詳述する。図１、及び、当該図１を上方から見た図３に示すように、ラック１の上面部である載置面は、４本の支柱部材１１，１２，１３，１４の上端をそれぞれ連結する４本の上端梁部材３１，３２，３３，３４にて外周が形成されている。このとき、４本の上端梁部材３１，３２，３３，３４は、ほぼ同一の長さに形成され、相互に直角をなして連結されているため、載置面は略正方形状または略長方形状に形成されている。
【００２２】
そして、４本の上端梁部材３１，３２，３３，３４で囲まれた載置面の外周の内部には、相互に対向する上端梁部材間を連結する梁部材４１，４２，４３にて形成された格子状の格子部材が設けられている。具体的に、格子部材は、ラック１の両側方に位置して対向する上端梁部材３２，３４間を連結する２本の梁部材４１，４２と、ラック１の前面側及び背面側に位置して対向する上端梁部材３１，３３間を連結する１本の梁部材４３と、が交差して連結されることで形成されている。なお、ラック１の前面側及び背面側間を連結する１本の梁部材４３は、両側方間を連結する２本の梁部材４１，４２と交差する箇所で切断されて、突き当て接合されている。これにより、格子部材の上面は平坦に形成されており、外周を形成する上端梁部材３１，３２，３３，３４とともに、平坦な載置面を形成している。
【００２３】
また、上記載置面の４つの角部には、さらに、載置面を形成する支持部材５１，５２，５３，５４（連結部材）が設けられている。具体的に、支持部材５１は、直線形状の部材、ここでは、角材である上端梁部材３１の幅とほぼ同一の幅を有する板状の部材であり、直角をなして隣り合って連結された上端梁部材３１，３２間を連結するよう設けられている。このとき、板状である支持部材５１は、長手方向に沿った一方の側端が、ラック１の上側を向き、当該側端が格子部材や上端梁部材３１，３２，３３，３４の上面と同じ高さに位置するよう、配置されている。
【００２４】
そして、上記支持部材５１と同様に、他の支持部材５２，５３，５４も、直角をなして隣り合って連結された上端梁部材間を連結するよう設けられている。具体的に、支持部材５２は上端梁部材３２，３３間を連結し、支持部材５３は上端梁部材３３，３４間を連結し、支持部材５４は上端梁部材３４，３１間を連結する。これにより、ラック１の上面部である載置面の４つの角部は、上方から見た時に、上端梁部材３１，３２，３３，３４と支持部材５１，５２，５３，５４とによって、それぞれ三角形状に形成されている。
【００２５】
そして、上述した上端梁部材３１，３２，３３，３４と格子部材４１，４２，４３と支持部材５１，５２，５３，５４との上部は、平坦な載置面を形成している。これにより、載置面には、図４、図５の仮想線で示すように、物品２００を載置することができる。特に、載置面の４つの角部付近には、支持部材５１，５２，５３，５４が位置しているため、直方体あるいは立方体の物品２００の角部を支持することができ、物品自体を安定して支持することができる。
【００２６】
さらに、上述したように載置面の角付近に支持部材５１，５２，５３，５４を連結することで、格子部材４１，４２，４３を構成する梁部材の本数が少なくても、ラック１の上面部である載置面の強度を高めることができる。
【００２７】
なお、上記では、ラック１の上面部である載置面の４つの全ての角部に支持部材５１，５２，５３，５４を設けた構成を例示したが、支持部材は必ずしも全ての角部に設ける必要はなく、一部の角部だけに設けてもよい。また、載置面に設けた格子部材は、上述した形状であることに限定されず、いかなる形状であってもよく、いかなる本数の梁部材で構成されていてもよい。あるいは、格子部材は設けなくてもよい。
【００２８】
また、上述したラック１の上面部である載置面の形状は、略正方形状あるいは略長方形状であるとして説明したが、いかなる形状であってもよい。つまり、載置面の外周を形成している上端梁部材は、相互に隣り合うもの同士がいかなる角度をなして連結していてもよく、その間に直線形状の支持部材が連結していればよい。
【００２９】
なお、ラック１を構成する各梁部材や各部材は、主に溶接により連結（接合）されているが、接着などの方法や、ボルトなどの連結具を用いるなど、いかなる方法で連結していてもよい。
【００３０】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００３１】
１，１００  ラック
１１，１２，１３，１４，１１１，１１２  支柱部材
２２，２３，２４，１２３  下端梁部材
３１，３２，３３，３４，  上端梁部材
４１，４２，４３  格子部材
５１，５２，５３，５４  支持部材
６１，６２  ストッパ
【図１】
0003201115.tif 000003
【図２】
0003201115.tif 000004
【図３】
0003201115.tif 000005
【図４】
0003201115.tif 000006
【図５】
0003201115.tif 000007